(57)【要約】  電気コネクタ組立体（１０）用のハウジング組立体（１２、１４）が提供される。このハウジングは、電気コネクタ（２２ａ、２２ｂ、２２ｃ、３０ａ、３０ｂ、３０ｃ）を受容するための少なくとも１つの軸方向通路（１８ａ、１８ｂ、１８ｃ、２６ａ、２６ｂ、２６ｃ）を有する本体（１６、２４）を含む。位置保証装置（３２）が、少なくとも１つの軸方向通路内に延び、電気コネクタの肩部（５６ａ、５６ｂ、５６ｃ、９０ａ、９０ｂ、９０ｃ）に係合して電気コネクタの軸方向の動きを制限するように構成される。２次位置保証装置（４６、４６’）は本体内に受容され、電気コネクタの肩部に係合して電気コネクタの軸方向の動きを制限する。
2010517221.tif 000002
【特許請求の範囲】
【請求項１】
電気コネクタ組立体（１０）用のハウジング組立体（１２、１４）であって、
前記ハウジング組立体は、電気コネクタ（２２ａ、２２ｂ、２２ｃ、３０ａ、３０ｂ、３０ｃ）を受容するための少なくとも１つの軸方向通路（１８ａ、１８ｂ、１８ｃ、２６ａ、２６ｂ、２６ｃ）を有する本体（１６、２４）を備え、
前記少なくとも１つの軸方向通路（１８ａ、１８ｂ、１８ｃ、２６ａ、２６ｂ、２６ｃ）内に延在し、前記電気コネクタ（２２ａ、２２ｂ、２２ｃ、３０ａ、３０ｂ、３０ｃ）の肩部（５６ａ、５６ｂ、５６ｃ、９０ａ、９０ｂ、９０ｃ）に係合して軸方向の動きを制限するように構成される位置保証装置（３２）と、
１対の弾性ラッチ・アーム（４８、５０）を有するとともに、前記本体（１６、２４）内に受容され、かつ前記電気コネクタ（２２ａ、２２ｂ、２２ｃ、３０ａ、３０ｂ、３０ｃ）の前記肩部（５６、９０）に係合して前記電気コネクタの軸方向の動きを制限する２次コネクタ位置保証装置（４６、４６’）と、を備えることを特徴とする、ハウジング組立体。
【請求項２】
前記位置保証装置（３２）および前記本体（１６、２４）が一体構造である、請求項１に記載のハウジング組立体。
【請求項３】
前記位置保証装置（３２）がフック（３３）である、請求項１に記載のハウジング組立体。
【請求項４】
前記肩部（５６、９０）が、六角形の外周を画定する、請求項１に記載のハウジング組立体。
【請求項５】
前記位置保証装置（３２）が、六角形の前記肩部（５６、９０）の隅部に係合する、請求項４に記載のハウジング組立体。
【請求項６】
前記通路と実質的に平行な軸に沿って前記位置保証装置（３２）を前記電気コネクタから取り外すために、前記位置保証装置（３２）に対してアクセス可能である、請求項１に記載のハウジング組立体。
【請求項７】
前記肩部（５６、９０）が、円形の外周を画定する、請求項１に記載のハウジング組立体。
【請求項８】
前記本体（１６、２４）が、前記２次位置保証装置（４６、４６’）を径方向に受容される、請求項１に記載のハウジング組立体。
【請求項９】
前記電気コネクタ組立体が、複数の電気コネクタ（２２ａ、２２ｂ、２２ｃ、３０ａ、３０ｂ、３０ｃ）を備え、
前記少なくとも１つの通路が、複数の軸方向通路（１８ａ、１８ｂ、１８ｃ、２６ａ、２６ｂ、２６ｃ）を含み、
前記ハウジングが、横方向スロット（４４、１４４）と複数の位置保証装置（３２）とを備え、
前記電気コネクタがそれぞれ、対応する位置保証装置に係合する肩部（５６ａ、５６ｂ、５６ｃ、９０ａ、９０ｂ、９０ｃ）と、環状溝（６４、９４）とを有する胴体を含み、
前記２次位置保証装置（４６、４６’）が、前記横方向スロット（４４、１４４）内に受容されるように構成され、かつ複数の弓形係合表面（５４、５８、６２）を含み、前記係合表面がそれぞれ、前記胴体の前記環状溝（６４ａ、６４ｂ、６４ｃ、９４ａ、９４ｂ、９４ｃ）のうちの１つの中に受容されるように構成される、請求項１に記載のハウジング組立体。
【発明の詳細な説明】
【技術分野】
【０００１】
本発明は、一般に電気コネクタに関し、より詳細には３位置同軸ケーブル・コネクタ組立体に関する。
【背景技術】
【０００２】
無線周波数（ＲＦ）同軸ケーブルコネクタ組立体は、グローバル・ポジショニング・システム（ＧＰＳ）、カー・ラジオ、移動電話、エアバッグシステム、およびマルチメディアデバイスなどの多数の自動車用用途に使用されてきた。同軸ケーブルは通常、外部導体、内部導体、誘電体、および被覆物(ｊａｃｋｅｔ)からなる。ケーブルの外部導体および内部導体は、ジャックコネクタおよびプラグコネクタを通じて相手側同軸ケーブルと電気的に接続することが多い。そのような従来の同軸ケーブルコネクタは、当技術分野では、たとえば米国特許第６，６７６，４４５号および第６，８２４，４０３号で周知である。同特許は本発明の譲受人に譲渡されており、参照により本明細書に組み込むことを明示する。
【先行技術文献】
【特許文献】
【０００３】
【特許文献１】米国特許第６，６７６，４４５号
【特許文献２】米国特許第６，８２４，４０３号
【０００４】
ある自動車用用途では、単一のコネクタ組立体によって複数の同軸ケーブルを結合させる必要があることがある。たとえば、３つの同軸ジャックコネクタを３つの同軸プラグコネクタと電気的に結合させるには、３位置コネクタ組立体が使用されることが多い。
【０００５】
様々なタイプのコネクタを標準化することによって混乱を避けるために、いくつかの業界標準が確立されてきた。これらの業界標準の１つは、ＦＡＫＲＡと呼ばれる。ＦＡＫＲＡはドイツ標準化協会内の自動車標準化委員会であり、自動車分野における国際標準化の利益を代表する。ＦＡＫＲＡ標準は、キーイングおよび色コーディングに基づき、適切なコネクタ据付のためのシステムを提供する。ＦＡＫＲＡコネクタでは、同種のジャック・キーは、同種のプラグ・キー溝にのみ結合させることができる。ジャックハウジングにおけるＦＡＫＲＡ規定のキャッチおよびプラグハウジングにおける協働ラッチによって、コネクタハウジングの確実な位置決めおよびロックが容易になる。
【０００６】
通常、電気コネクタ組立体は、電気コネクタをハウジング内部に固定するために、ハウジング内に保持手段を有する。そのようなリテーナ（ｒｅｔａｉｎｅｒ）の１つとして、コネクタ上の定位置に移動してコネクタを定位置にロックするように構成されたプラスチック可動部材がある。そのような可動部材には、軸方向に対して横断するように移動するものもあれば、定位置へ回転する蝶番フラップ（ｈｉｎｇｅｄ  ｆｌａｐ）として設計されるものもある。
【発明の概要】
【発明が解決しようとする課題】
【０００７】
課題として、電気コネクタを定位置に固定するためにコネクタハウジング内に保持手段を挿入する前に、電気コネクタをハウジング内に位置合わせしなければならないことが挙げられる。換言すると、電気コネクタが位置合わせされていない場合、通常、保持手段を挿入することはできない。さらに、電気コネクタが正しく位置合わせされたかどうかを判断する容易なまたは好都合な方法は存在せず、したがって、据付がさらに複雑になる。
【課題を解決するための手段】
【０００８】
この課題に対する解決策として、本願に開示される電気コネクタハウジング組立体が提供される。このハウジング組立体によって、電気コネクタの位置合わせが容易に可能となり、かつ電気コネクタがいつ正しく位置合わせされたかを判断するのに好都合な一貫した方法がさらに提供される。
このハウジング組立体は、電気コネクタを受容するための少なくとも１つの軸方向通路を有する本体を含む。前記少なくとも１つの軸方向通路内には位置保証装置が延びており、位置保証装置は電気コネクタの肩部に係合して軸方向の動きを制限するように構成される。２次位置保証装置は本体内に受容され、電気コネクタの肩部に係合して電気コネクタの軸方向の動きを制限する。
【０００９】
次に、添付の図面を参照して、本発明を例示する。
【図面の簡単な説明】
【００１０】
【図１】図１は、本発明における電気コネクタ組立体の一実施形態の上面斜視図である。
【図２】図２は、本発明におけるジャックハウジングおよび対応するジャックコネクタの分解斜視図である。
【図３】図３は、本発明におけるプラグハウジングおよび対応するプラグコネクタの分解斜視図である。
【図４】図４は、本発明におけるプラグハウジング内に据え付けられたプラグコネクタを示す部分切欠上面斜視図である。
【図５】図５は、本発明の図１の断面切欠図である。
【図６】図６はジャックコネクタの断面図であり、図１の線６−６、より詳細には本発明の図５の線６−６に沿って切り取ったジャックコネクタの断面図である。
【図７】図７はプラグコネクタの断面図であり、図１の線７−７、より詳細には本発明の図５の線７−７に沿って切り取ったプラグコネクタの断面図である。
【図８】図８はプラグハウジングの受容端部の底面斜視図であり、本発明の図３の線８−８に沿って切り取った底面斜視図である。
【発明を実施するための形態】
【００１１】
同一または同様の部分を参照する際には、全図にわたって、可能な限り同一の参照符号を用いる。
【００１２】
まず図１〜３を参照すると、本発明による電気コネクタ組立体１０は、プラグ組立体１４に結合するように構成されたジャック組立体１２を含む。ジャック組立体１２は、少なくとも１つ、また図示のように複数の、チャネルまたは軸方向通路１８ａ、１８ｂ、１８ｃを有する本体またはジャックハウジング１６を含む。これらの軸方向通路は、それぞれ長手方向軸１９ａ、１９ｂ、１９ｃを画定しており、対応する同軸ケーブル２０ａ、２０ｂ、２０ｃを受容するように構成される。同軸ケーブル２０ａ、２０ｂ、２０ｃはそれぞれ、図では２２ａ、２２ｂ、２２ｃが付された従来のジャックコネクタ２２を含む。
【００１３】
同様に、プラグ組立体１４は、複数のチャネルまたは軸方向通路２６ａ、２６ｂ、２６ｃ（図７）を有する本体またはプラグハウジング２４を含む。これらの軸方向通路は、長手方向軸２７ａ、２７ｂ、２７ｃを画定しており、同軸ケーブル２８ａ、２８ｂ、２８ｃを受容するように構成される。同軸ケーブル２８ａ、２８ｂ、２８ｃはそれぞれ、図では３０ａ、３０ｂ、３０ｃが付された従来のプラグコネクタ３０を含む。各プラグコネクタ３０は、対応するジャックコネクタ２２を受容し、かつケーブル２０ａ、２０ｂ、２０ｃと２８ａ、２８ｂ、２８ｃとがそれぞれ電気的に接続するように構成される。
なお、ジャックコネクタ２２およびプラグコネクタ３０などの要素は、接尾辞をつけて、すなわち２２ａ、２２ｂ、２２ｃ、３０ａ、３０ｂ、３０ｃとしても参照されること、ならびに、接尾辞をもたない要素番号は、特定の要素を集合的に参照するものであるが、これらの用語は同じ意味で使用できることを理解されたい。
【００１４】
図１、２、６を参照すると、ジャックハウジング１６は、前部嵌合端部３６と後部コネクタ受容端部３８とを含む。図１、２に示すように、通路１８ａ、１８ｂ、１８ｃはそれぞれ、嵌合端部３６に隣接する円筒部４０（図２）と、コネクタ受容端部３８（図２）に隣接する非円筒形で例示的に六角形の六角形部４２（図１、６）とを含む。図６は、図１の線６−６に沿って切り取ったジャック組立体１２の断面図であり、ジャック組立体１２に対する線６−６の位置は、より詳細には図５に示すように特定される。六角形部４２によって効率的な空間利用が容易になるように、通路１８ａ、１８ｂ、１８ｃが位置決めされる。より詳細には、各六角形部４２は、６つの平坦な壁または平坦面４３を含み、各六角形部４２の平坦面４３のうちの少なくとも１つが、隣接する六角形部４２の平坦面４３のうちの１つと平行にかつ近接して延びる。軸方向通路１８の長手方向軸１９が近接するように位置決めすることによって、平行な平坦面４３同士が近接し、空間の節約となる。図示の実施形態では、各六角形部４２は、１対の平坦面４３を、２つの隣接する六角形部４２と共有している。
【００１５】
図１、４〜７を参照すると、ジャックハウジング１６およびプラグハウジング２４はそれぞれ、複数のコネクタ位置保証装置（ＣＰＡ）３２を含む。各ＣＰＡ３２は、ジャックコネクタ２２ａ、２２ｂ、２２ｃの対応する肩部５６（図２）を固定するための、フックなどのリテーナ３３を含む。図６に示すように、対応するＣＰＡ３２のリテーナ３３は通路１８ａ、１８ｂ、１８ｃのそれぞれから内側に偏向し、肩部５６ａ、５６ｂ、５６ｃのそれぞれを固定する。図７に示すように、対応するＣＰＡ３２のリテーナ３３は通路２６ａ、２６ｂ、２６ｃのそれぞれから内側に偏向し、肩部９０ａ、９０ｂ、９０ｃのそれぞれを固定する。肩部５６ａ〜５６ｃ、９０ａ〜９０ｃを最大限に保持するために、各リテーナ３３は、肩部の六角形周辺部における各六角形部の隣接する平坦面同士の接合部、すなわち隅部に沿って、肩部に係合するように配置される。図示のように、肩部５６ａ〜５６ｃ、９０ａ〜９０ｃの隅部に沿って確実に係合させるために、肩部５６ａ〜５６ｃ、９０ａ〜９０ｃを含む六角形コネクタを選択的に位置決め（または回転）（またはクロッキング）し、六角形の通路１８ａ〜１８ｃ、２６ａ〜２６ｃに係合（または嵌合）させることによって、これらの肩部に対する所望の位置合わせが維持される。なお、六角形の通路１８ａ〜１８ｃ、２６ａ〜２６ｃは、それぞれジャックハウジング１６およびプラグハウジング２４内に形成され、六角形コネクタはその通路内に挿入される。
【００１６】
一実施形態では、図１に示すように、軸方向通路１８ａ、１８ｂをさらに広げるように形成された切欠き開口部１００から工具（図示せず）を挿入することによって、上部ＣＰＡ３２にアクセスすることができる。好ましい実施形態では、この工具はマイナスドライバである。工具によるそのような挿入およびアクセスは、対応する軸方向通路と実質的に平行に行われるはずである。３つのＣＰＡのうちの２つがハウジング１６、２４の外部表面に隣接し、１つのＣＰＡがハウジングのほぼ中心に配置されるようにＣＰＡ３２を示すが（図６、８）、ＣＰＡは、コネクタの肩部を固定するために、ハウジング内の任意の位置に配置できることを理解されたい。たとえば、一実施形態では、図６または図７内の中心に配置されたＣＰＡなど、単一のＣＰＡが、２つ以上のコネクタを固定するために使用できる拡大リテーナを含むことができる。ＣＰＡによって、対応する各コネクタは、所望の位置合わせ状態で固定され、かつ図２および図３に示しかつ以下でさらに詳述する２次コネクタ位置保証装置（ＳＣＰＡ）４６の挿入を可能にする。一実施形態では、ＣＰＡ３２は、対応するコネクタとの確実な係合が達成されたことを確認するために、カチッという可聴音を発生させる。さらに図１に示すように、ＣＰＡ３２の作動は、視覚的にも確認可能である。
【００１７】
ＣＰＡは、コネクタハウジングに固定、接着、または他の方法で接続された別々の構成要素とすることができるが、一実施形態では、ＣＰＡは、ハウジングとの一体構造である。
【００１８】
図１および図２に示すように、軸方向通路１８ａ、１８ｂ、１８ｃに加えて、ジャックハウジング１６は、ロックまたは２次コネクタ位置保証装置（ＳＣＰＡ）４６を摺動可能に受容するように構成された横方向スロット４４を含む。図２、５、６を参照すると、ＳＣＰＡ４６は、第１の脚部４８と、第２の脚部５０と、第１の脚部４８と第２の脚部５０とを接続する弓形ブリッジ部材５２とを含む。第１の弓形係合表面５４は、第１の脚部４８によって支持されており、第１のジャックコネクタ２２ａの肩部５６ａ（図６）に係合して第１のジャックコネクタ２２ａの軸方向の動きを制限するように構成される。同様に、第２の弓形係合表面５８は、第２の脚部５０によって支持されており、第２のジャックコネクタ２２ｂの肩部５６ｂに係合して第２のジャックコネクタ２２ｂの軸方向の動きを制限するように構成される。第３の弓形係合表面６２は、ブリッジ部材５２によって支持されており、第３の電気コネクタ２２ｃの肩部５６ｃに係合して第３の電気コネクタ２２ｃの軸方向の動きを制限するように構成される。
【００１９】
第１の係合表面５４は第１の曲率半径を有し、第２の係合表面５８は第２の曲率半径を有し、第３の係合表面６２は第３の曲率半径を有する。例示的な一実施形態では、より大きなジャックコネクタ２２ｃを軸方向通路１８ｃ内に容易に位置決めするためなどに、第３の曲率半径は、第１の曲率半径および第２の曲率半径の両者よりも大きい。
【００２０】
第１の脚部４８が第２の脚部５０と第１のラッチ・アーム６６との間に配置されるように、第１のラッチ・アーム６６は、ブリッジ部材５２に隣接する延長部１０２から上方へ延びる。同様に、第２の脚部５０が第１の脚部４８と第２のラッチ・アーム６８との間に配置されるように、第２のラッチ・アーム６８は、ブリッジ部材５２に隣接する延長部１０２から上方へ延びる。第１のラッチ・アーム６６は、凹部７０に係合してＳＣＰＡ４６をジャックハウジング１６に固定するように構成されたラッチ６７を含む。第２のラッチ・アーム６８は、凹部７１に係合してＳＣＰＡ４６をジャックハウジング１６に固定するように構成されたラッチ６９を含む。第１のラッチ・アーム６６および第２のラッチ・アーム６８は、例示的にＳＣＰＡ４６の一体部分として形成され、互いから離れる方向に弾性的に偏向している。より詳細には、ラッチ６７、６９は、ジャックハウジング１６（図６）の内壁７８によって画定される凹部７０、７１それぞれにＳＣＰＡ４６を結合させるように、外側に偏向している。１対のスロット７９ａ、７９ｂは、ブリッジ部材５２の延長部１０２の対向する端部に例示的に位置決めされており、ＳＣＰＡ４６をハウジング１６から容易に取り外すための工具（図示せず）を受容するように構成される。
【００２１】
図１、２、６を再度参照すると、ジャックコネクタ２２ａ、２２ｂ、２２ｃはそれぞれ、その中を通って電気的接続を確立するための周知の同軸構成要素を含む。これについては、これ以上詳細に論じない。ジャックコネクタ２２ａ、２２ｂ、２２ｃのハウジングはそれぞれ、放射状に外側に延びるフランジまたは肩部５６、６０を含み、肩部５６、６０は、それらの間に環状溝６４を画定する。一実施形態では、溝６４は、円筒形の断面を含む。肩部５６、６０は、例示的に六角形の断面を有しており、ジャックコネクタ２２がジャックハウジング１６内に挿入されたとき、軸方向通路１８ａ、１８ｂ、１８ｃの六角形部４２と協働するように構成される。ジャックコネクタ２２が完全に据付けられたとき、ジャックコネクタ２２の環状溝（複数可）６４は、ジャックハウジング１６の横方向スロット４４に位置合わせされる。据付が適切に行われたか確認しかつ分離を防止するために、ＳＣＰＡ４６を取付けることができる。ＳＣＰＡ４６の係合表面５４、５８、６２は溝６４内に受容され、肩部５６および６０との係合によりジャックコネクタ２２ａ、２２ｂ、２２ｃの軸方向の動きが制限されるように構成される。
【００２２】
図２〜４を参照すると、プラグハウジング２４は、前部嵌合端部８０と後部コネクタ受容端部８２とを含む。嵌合端部８０は、受容フランジ８４を含む。受容フランジ８４は、ジャックハウジング１６の嵌合端部３６を摺動可能に受容するように構成される。ジャックハウジング１６は、複数の位置合わせリブ８６を含む。位置合わせリブ８６は、プラグハウジング２４内に形成された位置合わせ溝８８内に受容されるように構成される。そのように確実に位置決めすることによって、ジャックハウジング１６の通路１８は、プラグハウジング２４の通路２６と同軸状に位置合わせされる。なお、一実施形態では、ジャックハウジング１６は、１つの位置合わせリブ８６を含むことができる。
【００２３】
図１、４、５、７を参照すると、通路２６ａ、２６ｂ、２６ｃはそれぞれ、嵌合端部８０に隣接する円筒部１０６と、コネクタ受容端部８２（図４）に隣接する非円筒形の、例示的には六角形の部分１０８とを含む。図示のように、通路２６ｃは、通路２６ａおよび２６ｂ上に垂直に位置決めされ、そこから横方向にオフセット配置される。そのような構成では、通路２６ａ、２６ｂ、２６ｃを互いに近接配置することによって、六角形部１０８が効率的な空間利用を容易とする。より詳細には、各六角形部１０８は、６つの平坦面１４２を含み、各六角形部１０８の平坦面１４２のうちの少なくとも１つが、隣接する六角形部１０８の平坦面１４２のうちの１つと平行にかつ近接して延びる。軸方向通路２６の長手方向軸２７を近接して位置決めすることによって、平行な平坦面１４２同士が近接し、空間の節約となる。図示の実施形態では、各六角形部１０８は、平坦面１４２を２つの隣接する六角形部１０８と共有する。軸方向通路２６に加えて、プラグハウジング２４は、コネクタ位置保証装置（ＳＣＰＡ）４６’を摺動可能に受容するように構成された横方向スロット１４４（図３）を含む。ＳＣＰＡ４６’は、例示的には、上記で詳述したＳＣＰＡ４６と同一である。
【００２４】
図１、３、７を再度参照すると、プラグコネクタ３０ａ、３０ｂ、３０ｃはそれぞれ、その中を通って電気的接続を確立するための周知の同軸構成要素を含む。これについては、これ以上詳細に論じない。プラグコネクタ３０ａ、３０ｂ、３０ｃのハウジングはそれぞれ、放射状に外側に延びるフランジまたは肩部９０、９２を含み、肩部９０、９２は、それらの間に環状溝９４を画定する。一実施形態では、溝９４は、円筒形の断面を含む。肩部９０および９２は、例示的に六角形の断面を有しており、軸方向通路２６ａ、２６ｂ、２６ｃの六角形部１４２と協働するように構成される。ＳＣＰＡ４６’の係合表面５４、５８、６２は、溝９４内に受容され、肩部９０、９２との係合によりプラグコネクタ３０ａ、３０ｂ、３０ｃの軸方向の動きが制限されるように構成される。
【００２５】
代替実施形態では、プラグハウジング２４の受容端部８２の底面斜視図である図８に示すように、軸方向通路２６ｃは円形である。すなわち、六角形の肩部９０、９２（図３）に代わり、肩部９０、９２は円形である。この構造により、より大きなケーブルをプラグコネクタ３０ｃ（図３）と共に使用することが可能になる。直径のより大きなケーブルを使用する結果、所望の用途でのプラグハウジング２４の経路選択中、直径のより大きなケーブル、すなわち通路２６ｃ内のプラグコネクタ３０ｃの捻回に関連して高いトルク力が生じる可能性がある。しかし、プラグコネクタ３０ｃと通路２６ｃをどちらも円形にすることによって、プラグコネクタ３０ｃは、通路２６ｃ内で回転することができ、したがって、プラグコネクタ３０ｃが回転運動から制約された場合に通常生じるはずの高いトルク力を軽減しかつ除去することができる。なお、プラグハウジング２４（図７）またはジャックハウジング１６（図６）の通路２６ａ〜２６ｃ、１８ａ〜１８ｃのいずれについても、必要に応じて円形構造を採用できることを理解されたい。また、プラグコネクタおよびジャックコネクタは、相手側のプラグコネクタおよびジャックコネクタが適切に寸法設定される限り、異なる寸法のものとすることができることも理解されたい。
【００２６】
図１に示すように、ラッチ１４６は、ジャックハウジング１６をプラグハウジング２４と解除可能に結合させるように構成することができる。より詳細には、ジャック組立体１２とプラグ組立体１４を合わせて固定するために、ジャックハウジング１６によって支持されるキャッチ１４８（図２）を、プラグハウジング２４によって支持される開口部１５０（図３）内に位置決めすることができる。
【００２７】
必要に応じて、３位置コネクタ組立体を２位置コネクタ組立体さらには１位置コネクタ組立体に変換するために、プラグコネクタおよびジャックコネクタに類似する形状の挿入物（図示せず）を、対応する軸方向通路（複数可）に挿入できることを理解されたい。ジャックハウジング１６とプラグハウジング２４を接続させるのに適した代替手段は、当業者には周知である。
【００２８】
好ましい実施形態を参照して、本発明を説明してきた。但し、本発明の範囲から逸脱することなく、様々な変更を加えることができ、また実施形態の要素の代わりに均等物を使用できることが、当業者には理解されるであろう。さらに、本発明の本質的な範囲から逸脱することなく、特定の状況または材料を本発明の教示に適合させるために、多くの修正を加えることができる。したがって、本発明は、本発明を実施するために企図された最良の形態として開示した特定の実施形態に限定されるものではない。また、本発明は、添付の特許請求の範囲の範囲内に入るすべての実施形態を含むものとする。
【符号の説明】
【００２９】
１０・・・電気コネクタ組立体
１２・・・ハウジング組立体（ジャック組立体）
１４・・・ハウジング組立体（プラグ組立体）
１６・・・本体（ジャックハウジング）
１８、１８ａ、１８ｂ、１８ｃ・・・軸方向通路
２２、２２ａ、２２ｂ、２２ｃ・・・電気コネクタ（ジャックコネクタ）
２４・・・本体（プラグハウジング）
２６ａ、２６ｂ、２６ｃ・・・軸方向通路
３０、３０ａ、３０ｂ、３０ｃ・・・電気コネクタ（プラグコネクタ）
３２・・・位置保証装置（コネクタ位置保証装置）
３３・・・フック（リテーナ）
４４・・・横方向スロット
４６、４６’・・・２次コネクタ位置保証装置
４８・・・弾性ラッチ・アーム（第１の脚部）
５０・・・弾性ラッチ・アーム（第２の脚部）
５４・・・弓形係合表面
５６、５６ａ、５６ｂ、５６ｃ・・・肩部
５８・・・弓形係合表面
６２・・・弓形係合表面
６４、６４ａ、６４ｂ、６４ｃ・・・環状溝
９０、９０ａ、９０ｂ、９０ｃ・・・肩部
９４、９４ａ、９４ｂ、９４ｃ・・・環状溝
１４４・・・横方向スロット
【図１】
2010517221.tif 000003
【図２】
2010517221.tif 000004
【図３】
2010517221.tif 000005
【図４】
2010517221.tif 000006
【図５】
2010517221.tif 000007
【図６】
2010517221.tif 000008
【図７】
2010517221.tif 000009
【図８】
2010517221.tif 000010
【国際調査報告】
2010517221.tif 000011
2010517221.tif 000012
2010517221.tif 000013